(57)【要約】【課題】指や指以外の身体部分の指圧が可能な指圧具付ストラップを提供する。【解決手段】ストラップ本体２０と、ストラップ本体２０に取り付けた指圧具３０とを有する指圧具付ストラップ１０であって、指圧具３０は、リング状の本体部３１と、本体部３１の外周面に周方向に間隔をあけて突出形成した外周突部３２と、本体部３１の内周面に周方向に間隔をあけて突出形成した内周突部３３と、ストラップ本体２０に対する取付部３４とを備え、柔軟な弾性部材で一体成形してなり、本体部３１の内側に指を挿入可能となした。【選択図】図１
0003128644.tif 000002
【実用新案登録請求の範囲】
【請求項１】
ストラップ本体と、ストラップ本体に取り付けた指圧具とを有する指圧具付ストラップであって、
前記指圧具は、リング状の本体部と、本体部の外周面に周方向に間隔をあけて突出形成した外周突部と、本体部の内周面に周方向に間隔をあけて突出形成した内周突部と、前記ストラップ本体に対する取付部とを備え、柔軟な弾性部材で一体成形してなり、本体部の内側に指を挿入可能となした、
ことを特徴とする指圧具付ストラップ。
【請求項２】
前記取付部の途中部に、文字や記号や絵柄を表示するための表示部を一体形成した請求項１記載の指圧具付ストラップ。
【請求項３】
前記外周突部と内周突部とを先細りに形成した請求項１又は２記載の指圧具付ストラップ。
【請求項４】
前記内周突部の先端側を本体部の中心線方向の一側方へ傾斜又は湾曲させた請求項１〜３のいずれか１項記載の指圧具付ストラップ。
【請求項５】
前記内周突部の途中部を本体部の中心線方向の一側方へ折曲又は湾曲させた請求項１〜３のいずれか１項記載の指圧具付ストラップ。
【請求項６】
前記本体部の中心を挟んで内周突部とは反対側の本体部の内周面に受け面を形成した請求項１〜５のいずれか１項記載の指圧具付ストラップ。
【請求項７】
前記本体部の中心線方向の長さを、指の基節骨に本体部を装着した状態で、指を折り曲げ可能な長さに設定した請求項１〜６のいずれか１項記載の指圧具付ストラップ。
【請求項８】
前記指圧具をストラップ本体に対して着脱自在に取り付けるための連結具を設けた請求項１〜７のいずれか１項記載の指圧具付ストラップ。
【請求項９】
前記ストラップ本体が携帯電話用のストラップである請求項１〜８のいずれか１項記載の指圧具付ストラップ。
【考案の詳細な説明】
【技術分野】
【０００１】
本考案は、携帯電話のストラップとして好適に利用可能な指圧具付ストラップに関する。
【背景技術】
【０００２】
携帯電話用ストラップとして、人形などの各種アクセサリーを付属させたものが種々提案され実用化されている。
【０００３】
また、携帯電話用ストラップの帯紐の内面にゲルマニウム鉱石と、トルマリン含有セラミックを接着剤で固定して合成樹脂で被覆し、この帯紐に手を通して通話等することで、ゲルマニウム鉱石やトルマリンから放出されるマイナスイオンで、電磁波や周辺のプラスイオンによる悪影響を緩和するとともに、使用者の周辺の空気を浄化し、また使用者の肌面との接触により、遠赤外線効果や温浴効果、手首周りへの指圧効果も同時に発揮できるように構成したものが提案されている（例えば、特許文献１参照。）。
【０００４】
【特許文献１】実用新案登録第３１１７６７２号公報
【考案の開示】
【考案が解決しようとする課題】
【０００５】
前記特許文献１記載の携帯電話用ストラップでは、ゲルマニウム鉱石やトルマリン含有セラミックスによる指圧効果により手首を指圧することができるが、この携帯電話用ストラップは、手首以外の身体部分を指圧することを目的としたものではなく、指圧可能な部位が大幅に制限されるという問題がある。また、ゲルマニウム鉱石やトルマリン含有セラミックスを接着剤で帯紐に固定しているので、製作コストが高くなるし、帯紐の柔軟性が低下して、ストラップとしての機能性が低下するという問題もある。しかも、ゲルマニウム鉱石やトルマリン含有セラミックスが脱落することもあり、耐久性を十分に確保することが困難であった。
【０００６】
本考案の目的は、指や指以外の身体部分の指圧が可能な指圧具付ストラップを提供することである。
【課題を解決するための手段】
【０００７】
本発明に係る指圧具付ストラップは、ストラップ本体と、ストラップ本体に取り付けた指圧具とを有する指圧具付ストラップであって、前記指圧具は、リング状の本体部と、本体部の外周面に周方向に間隔をあけて突出形成した外周突部と、本体部の内周面に周方向に間隔をあけて突出形成した内周突部と、前記ストラップ本体に対する取付部とを備え、柔軟な弾性部材で一体成形してなり、本体部の内側に指を挿入可能となしたものである。
【０００８】
この指圧具付ストラップでは、携帯電話のように常時持ち歩く携帯品に付属させることで、何時でもどこでも指圧具を用いて指や体の各部を指圧することが可能となる。具体的な指圧方法としては、本体部に一方の手の指を挿入して、他方の手の指で本体部を摘むことで、内周突部により指や、指と爪との境界部分などを指圧することができ、また本体部を摘んでいる他方の手の指を外周突部で指圧することができる。また、例えばこの指圧具を人差し指や中指の基節骨まで挿入した状態で、握り拳を作って指圧具を身体の各部に押し当てることで、外周突部により身体の各部を指圧することができる。また、指圧具を柔軟な弾性部材で構成しているので、指圧具付ストラップを携帯具とともに衣類のポケットに入れたり、鞄に入れたりした場合でも、指圧具で衣類や鞄の中の他物を傷つけることもない。
【０００９】
ここで、前記取付部と本体部間に、文字や記号や絵柄を表示するための略平板状の細長い表示部を一体形成することができる。この場合には、表示部を、商品名等を表示するための表示欄として活用することができる。
【００１０】
前記外周突部と内周突部とを先細りに形成することもできる。この場合には、指圧力をピンポイントで指のツボ等に作用させることができ、効果的に指圧することができる。
【００１１】
前記内周突部の先端側を本体部の中心線方向の一側方へ傾斜又は湾曲させたり、前記内周突部の途中部を本体部の中心線方向の一側方へ折曲又は湾曲させたりすることも好ましい実施の形態である。この場合には、本体部の硬さを変更することなく、内周突部の弾性変形を促進できるので、ソフトなタッチで指を指圧することができ、特に加圧に対して敏感な、指と爪との境界部を指圧するのに好適なものとなる。
【００１２】
前記本体部の中心線方向の長さを、指の基節骨に本体部を装着した状態で、指を折り曲げ可能な長さに設定することができる。この場合には、例えばこの指圧具を人差し指や中指の基節骨まで挿入した状態で、握り拳を作って指圧具を身体の各部に押し当てることができるので、指圧具に対して大きな力を作用させることが可能となり、外周突部を身体の各部に強く押し当てて指圧することができる。
【００１３】
前記本体部の中心を挟んで内周突部とは反対側の本体部の内周面に受け面を形成することも好ましい実施の形態である。このように構成すると、例えば、内周突部で爪の根元を指圧する際に、爪の根元とは反対側を受け面で受け止めながら効率的に爪の根元を指圧することができる。
【００１４】
前記指圧具をストラップ本体に対して着脱自在に取り付けるための連結具を設けることも好ましい実施の形態である。この場合には、ストラップ本体から指圧具を取り外して、指圧具のみで身体の各部を指圧できるので、指圧具の操作性を格段に向上できる。また、指圧具を取り外して携帯電話機などの携帯品を安全な場所に載置できるので、指圧途中で手が滑ってこれらの携帯品を落としてしまうことを防止できる。
【００１５】
前記ストラップ本体が携帯電話用のストラップであることも好ましい実施の形態である。通常、携帯電話は、常時持ち歩くものなので、何時でも、何処でも、僅かな時間でも、指圧を行うことが可能となるので好ましい。
【考案の効果】
【００１６】
本考案に係る指圧具付ストラップによれば、携帯電話のように常時持ち歩く携帯品に付属させることで、何時でもどこでも指圧具を用いて指や体の各部を指圧することが可能となる。指圧方法としては、本体部に一方の手の指を挿入して、他方の手の指で本体部を摘むことで、内周突部により指や、指と爪との境界部分などを指圧することができ、また本体部を摘んでいる他方の手の指を外周突部で指圧することができる。また、例えばこの指圧具を人差し指や中指の基節骨まで挿入した状態で、これを身体の各部に押し当てることで、外周突部により身体の各部を指圧することができる。また、指圧具を柔軟な弾性部材で構成しているので、指圧具付ストラップを携帯具とともに衣類のポケットに入れたり、鞄に入れたりした場合でも、指圧具で衣類や鞄の中の他物を傷つけることもない。
【考案を実施するための最良の形態】
【００１７】
以下、本考案を実施するための最良の形態について図面を参照しながら説明する。
図１に示すように、指圧具付ストラップ１０は、携帯電話機１１に着脱自在に取り付けられるストラップ本体２０と、ストラップ本体２０に取り付けた指圧具３０とを備えている。尚、携帯電話機１１以外の携帯品用のストラップに対しても本考案を同様に適用できる。
【００１８】
ストラップ本体２０は、携帯電話機１１への取り付け用の固定紐２１と、固定紐２１に連結された設定長さの帯紐２２と、固定紐２１と帯紐２２との連結部分を覆うカバー部材２３とを備えた周知の構成のもので、指圧具３０は、ストラップ本体２０の帯紐２２の途中部に、環状の取付部３４を挿通させて取り付けられている。但し、指圧具３０を取り付け可能な構成のものであれば、図１に示す以外の構成のストラップ本体２０を採用することも可能である。
【００１９】
指圧具３０は、図１〜図３に示すように、リング状の本体部３１と、本体部３１の外周面に周方向に間隔をあけて突出形成した外周突部３２と、本体部３１の内周面に周方向に間隔をあけて突出形成した内周突部３３と、ストラップ本体２０に対する取付部３４と、本体部３１と取付部３４間に形成した表示部３５とを備え、柔軟な弾性部材で一体成形してなり、本体部３１の内側に指を挿入可能となしたものである。
【００２０】
指圧具３０を構成する素材としては、比較的柔らかくて弾力性のある素材であれば任意の素材を採用することができ、ウレタンゴムやシリコーンゴムなどの軟質な合成ゴムやエラストマ、ＡＢＳ樹脂などを好適に採用できる。
【００２１】
本体部３１の内周面には内側へ突出する内周突部３３が円周方向に一定間隔おきに複数形成されている。内周突部３３の個数は任意に設定可能で、図２では周方向に６個形成されている。内周突部３３は、先端側へ行くにしたがって小径となる先鋭に形成され、途中部を本体部３１の中心線方向の一側方へ屈曲又は湾曲させた形状に構成されている。内周突部３３の高さは任意に設定可能であるが、低すぎると指圧効果が十分に得られず、高すぎると指圧具３０が大型になるので、２ｍｍ〜８ｍｍ、好ましくは３ｍｍ〜６ｍｍに設定することになる。内周突部３３の先端部を結ぶ円の直径は、指の直径よりも大きく設定され、内周突部３３の先端部に接触することなく、本体部３１の内側に指を挿入可能に構成されている。尚、本実施の形態では、本体部３１の内周面のうちの中心を挟んで両側に内周突部３３を形成したが、図４に示す指圧具３０Ａのように、一方の内周突部３３を省略して受け面３７とすることもできる。
【００２２】
内周突部３３の形状を変更した他の実施の形態として、図５（ａ）に示す内周突部３３Ａのように、基端部の直径を本体部３１の厚さよりもやや小さな直径となし、本体部３１の中央部側へ行くにしたがって先鋭となる山形断面形状に形成したものや、図５（ｂ）に示す内周突部３３Ｂのように、基端部の直径を本体部３１の厚さよりもやや大きな直径となし、本体部３１の中央部側へ行くにしたがって先鋭となる山形断面形状に形成したものや、図５（ｃ）に示す内周突部３３Ｃのように、本体部３１の厚さよりもやや大きな直径の半球状に形成したものや、図５（ｄ）に示す内周突部３３Ｄのように、本体部３１の厚さよりもやや大きな直径の円柱状で、先端部を半球状に形成したものや、図５（ｅ）に示す内周突部３３Ｅのように、基端部の直径を本体部３１の厚さよりもやや大きな直径となし、先端側へ行くにしたがって先鋭となるような山形形状であって、本体部３１の中心線方向の一側方へ傾斜状や湾曲状に形成したものや、図５（ｆ）に示す内周突部３３Ｆのように、前記内周突部３３Ｅにおける先端部に小突起を形成したものや、図５（ｇ）に示す内周突部３３Ｇのように、基端部の直径を本体部３１の厚さよりもやや小さな直径となし、先端側へ行くにしたがって先鋭となるような山形形状であって、本体部３１の中心線方向の一側方へ傾斜状や湾曲状に形成したものや、これら内周突部３３Ａ〜３３Ｇを任意に組み合わせたものなどを採用できる。内周突部３３の横断面形状は円形に形成することもできるし、楕円形や小判型、多角形状に形成することも可能である。
【００２３】
図２に示すように、本体部３１の外周面には外側へ突出する外周突部３２が円周方向に一定間隔おきに複数形成されている。外周突部３２の個数は任意に設定可能で、図２では周方向に１９個を隙間なく詰めて形成したが、周方向に間隔をあけて形成することも可能である。外周突部３２は、基端部の直径を本体部３１の厚さよりもやや大きな直径となし、先端側へ行くにしたがって小径となる先鋭な山形断面に形成されている。外周突部３２の高さは任意に設定可能であるが、低すぎると指圧効果が十分に得られず、高すぎると指圧具３０が大型になるので、２ｍｍ〜８ｍｍ、好ましくは３ｍｍ〜５ｍｍに設定することになる。
【００２４】
外周突部３２の形状を変更した他の実施の形態として、図６（ａ）に示す外周突部３２Ａのように、基端部の直径を本体部３１の厚さよりもやや小さな直径となし、本体部３１の外方側へ行くにしたがって先鋭となる山形断面形状に形成したものや、図６（ｂ）に示す外周突部３２Ｂのように、基端部の直径を本体部３１の厚さよりもやや大きな直径となし、本体部３１の外方側へ行くにしたがって先鋭となる山形断面形状に形成したものや、図６（ｃ）に示す外周突部３２Ｃのように、本体部３１の厚さよりもやや大きな直径の半球状に形成したものや、これら外周突部３２Ａ〜３２Ｃを任意に組み合わせたものなどを採用できる。
【００２５】
本体部３１の厚さは、本体部３１を指で摘んで比較的容易に扁平に変形可能な厚さに設定されている。本体部３１の幅は大きすぎると指への挿入性が低下するとともに嵩張り、小さすぎると操作性が低下するので、５ｍｍ以上で２０ｍｍ以下に設定することが好ましい。内周突部３３と外周突部３２とは本体部３１の幅方向の中央部に形成することが好ましいが、幅方向の一側よりに形成することもできる。
【００２６】
表示部３５は、細長い平板状に形成され、連結部３６を介して本体部３１に一体的に設けられている。表示部３５には、文字や記号や絵柄を印刷したり、刻印したり、印刷したシールを貼り付けたりすることで、商品名等を表示するための表示欄として利用できるように構成されている。但し、この表示部３５を省略して、取付部３４を本体部３１に直接的に設けることも可能である。
【００２７】
この指圧具付ストラップ１０を使用する際には、図７に示すように、ストラップ本体２０に取り付けた指圧具３０を一方の手Ｈ１の指Ｆ１に挿入し、他方の手Ｈ２の指Ｆ２で本体部３１を摘んで内周突部３３を例えば指Ｆ１の爪Ｎ１の付け根に圧接させることで、爪Ｎ１の付け根を指圧することになる。また、指全体についても、爪Ｎ１を指圧したときと同様に、指圧することができる。更に、図７（ｂ）に仮想線で示すように、指圧具３０を人差し指や中指の基節骨まで挿入して手Ｈ１を握りしめた状態で、これを身体の各部に押し当てることで、外周突部３２により身体の各部を指圧することもできる。
【００２８】
尚、前記実施の形態では、ストラップ本体２０に対して指圧具３０を直接的に取り付けたが、連結具４０を介して着脱自在に取り付けることも可能である。例えば、図８に示すように、連結具４０として、弾性金属材を折曲してなり、取付部３４に挿通するＣ字状の基部４１と、基部４１の一端部から延びるフック部４２と、フック部４２の開口部を閉じるように基部４１の他端部から延びて、フック部４２の先端部に内側から圧接される抜止部４３とを備えたナス環を採用し、抜止部４３を内側へ操作してフック部４２の開口を開放した状態で、フック部４２に帯紐２２を着脱可能に取り付けることができる。尚、本実施の形態では、連結具４０として、ナス環を用いたが、帯紐２２と指圧具３０とを着脱可能に連結できるものであれば、ナス環以外の周知の構成のものを採用することも可能である。
【図面の簡単な説明】
【００２９】
【図１】携帯電話機及びそれに取付けた指圧具付ストラップの正面図
【図２】指圧具の正面図
【図３】（ａ）は指圧具の側面図、（ｂ）は図２のＡ−Ａ線断面図
【図４】他の構成の指圧具の正面図
【図５】（ａ）〜（ｇ）は、他の構成の内周突部の縦断面図
【図６】（ａ）〜（ｃ）は、他の構成の外周突部の縦断面図
【図７】（ａ）、（ｂ）は指圧具付ストラップの使用方法の説明図
【図８】携帯電話機及びそれに取付けた他の構成の指圧具付ストラップの正面図
【符号の説明】
【００３０】
１０    指圧具付ストラップ      １１    携帯電話機
２０    ストラップ本体          ２１    固定紐
２２    帯紐                    ２３    カバー部材
３０    指圧具                  ３１    本体部
３２    外周突部                ３３    内周突部
３４    取付部                  ３５    表示部
３６    連結部                  ３７    受け面
４０    連結具                  ４１    基部
４２    フック部                ４３    抜止部
３２Ａ  外周突部                ３２Ｂ  外周突部
３２Ｃ  外周突部
３３Ａ  内周突部                ３３Ｂ  内周突部
３３Ｃ  内周突部                ３３Ｄ  内周突部
３３Ｅ  内周突部                ３３Ｆ  内周突部
３３Ｇ  内周突部
Ｆ１    指                      Ｆ２    指
Ｈ１    手                      Ｈ２    手
Ｎ１    爪
【図１】
0003128644.tif 000003
【図２】
0003128644.tif 000004
【図３】
0003128644.tif 000005
【図４】
0003128644.tif 000006
【図５】
0003128644.tif 000007
【図６】
0003128644.tif 000008
【図７】
0003128644.tif 000009
【図８】
0003128644.tif 000010